(57)【要約】【課題】  この発明は誰でも容易に樹脂製の容器を圧縮する事が出来、且つ、復元性が殆ど無い為、多数の回収能力が可能と成る樹脂製容器圧縮装置を開発・提供する事にある。【解決手段】  上部に容器投入口を有する装置本体を設け、且つ、該装置本体内にモートル等の回転駆動手段と、回転駆動伝達手段と、複数歯を有し、回転駆動伝達手段に連結された主動軸歯車と従動軸歯車を一対に組み合わせ、且つ、容器の大きさや材質に合わせて所定の軸間距離を有する圧縮送り装置を設け、且つ、容器を圧縮する時は、モートル等の回転駆動手段を作動させて、容器投入口から容器を、口側を下向きにして圧縮送り装置の噛み合わせ部に投入し、主動軸歯車を回転させる事で、従動軸歯車が主動軸歯車に従動し、それぞれ反対方向に回転しながら交互に噛み合わせて容器を圧縮しながら排出するものである。【選択図】  図２
2009113049.tif 000002
【特許請求の範囲】
【請求項１】
清涼飲料や調味料等を入れる樹脂製容器を圧縮して薄形化し、多量の使用済み容器を一括廃棄処分可能にする為の装置であって、該装置は上部に容器投入口（１ｃ'）を有する装置本体（１）を設け、且つ、該装置本体内にモートル等の回転駆動手段（Ｍ）と、回転駆動伝達手段と、複数歯を有し、回転駆動伝達手段に連結された主動軸（１２）歯車と従動軸（１３）歯車を一対に組み合わせ、且つ、容器（ＰＢ）の大きさや材質に合わせて所定の軸間距離（Ｐ）を有する圧縮送り装置を設け、且つ、容器を圧縮する時は、モートル等の回転駆動手段（Ｍ）を作動させて、容器投入口（１ｃ'）から容器（ＰＢ）を、口側を下向きにして圧縮送り装置の噛み合わせ部（Ｘ）に投入し、主動軸（１２）歯車を回転させる事で、従動軸（１３）歯車が主動軸（１２）歯車に従動し、それぞれ反対方向に回転しながら交互に噛み合わせて容器を圧縮しながら排出する事を特徴とする樹脂製容器圧縮装置。
【発明の詳細な説明】
【技術分野】
【０００１】
この発明は、樹脂製容器圧縮装置に関するものである。
【背景技術】
【０００２】
従来、ジュース等の飲料や、醤油・ソース等の調味料は、生活の豊かさと共にその種類や形状が多様化し、使用する量も増加傾向にある。又、これらの容器も以前は、壊れ易いガラス瓶や、重い金属の罐が敬遠され、壊れ難く、軽く、科学的にも安定しているプラスチックの容器が多く使われるように成った。そして、そのプラスチック製の容器も多様化、大型化して来ている。このプラスチックの比較的大型の容器であるペットボトルは、使い捨ての為、使用量の増加と共に公害問題が発生するように成り、回収、再生利用が強く望まれている。従って、誰もが出来るだけ多くの容器を、短期間に効率よく回収出来る装置の開発が望まれている。
【０００３】
これまでに出願されているペットボトル圧縮機の特許文献を参考の為、紹介する。（特許文献１〜２参照。）
【特許文献１】特開平７−２９０２９１
【特許文献２】特開２００２−２６３８９３
【発明の開示】
【発明が解決しようとする課題】
【０００４】
そこで、上記課題を解決する為に、この発明は誰でも容易に樹脂製の容器を圧縮する事が出来、且つ、復元性が殆ど無い為、多数の樹脂製容器の回収が可能と成る樹脂製容器圧縮装置を開発・提供する事にある。
【課題を解決するための手段】
【０００５】
この課題を解決する為の手段として、上部に容器投入口を有する装置本体を設け、且つ、該装置本体内にモートル等の回転駆動手段と、回転駆動伝達手段と、複数歯を有し、回転駆動伝達手段に連結された主動軸歯車と従動軸歯車を一対に組み合わせ、且つ、容器の大きさや材質に合わせて所定の軸間距離を有する圧縮送り装置を設け、且つ、容器を圧縮する時は、モートル等の回転駆動手段を作動させて、容器投入口から容器を、口側を下向きにして圧縮送り装置の噛み合わせ部に投入し、主動軸歯車を回転させる事で、従動軸歯車が主動軸歯車に従動し、それぞれ反対方向に回転しながら交互に噛み合わせて容器を圧縮しながら排出するものである。
【発明の効果】
【０００６】
この発明の効果として、上部に容器投入口を有する装置本体を設け、且つ、該装置本体内にモートル等の回転駆動手段と、回転駆動伝達手段と、複数歯を有し、回転駆動伝達手段に連結された主動軸歯車と従動軸歯車を一対に組み合わせ、且つ、容器の大きさや材質に合わせて所定の軸間距離を有する圧縮送り装置を設け、且つ、容器を圧縮する時は、モートル等の回転駆動手段を作動させて、容器投入口から容器を、口側を下向きにして圧縮送り装置の噛み合わせ部に投入し、主動軸歯車を回転させる事で、従動軸歯車が主動軸歯車に従動し、それぞれ反対方向に回転しながら交互に噛み合わせて容器を圧縮しながら排出する事で、誰でも容易に樹脂製の容器を圧縮する事が出来、且つ、復元性が殆ど無い為、多数の回収能力が可能と成る事で、回収時間の短縮や工数の削減、回収能力の向上、環境美化等、極めて有益なる効果を奏するものである。
【発明を実施するための最良の形態】
【０００７】
この発明の最良の形態として、回転駆動手段と、回転駆動伝達手段と、圧縮送り装置は容器の材質や大きさや形状に適合した最適な構造を有し、且つ、品質・性能、生産性、経済性、メインテナンス性等を総合的に考慮したものが望ましい。
【実施例１】
【０００８】
そこで、この発明の一実施例を図１〜図４に基づいて詳述すると、清涼飲料や調味料等を入れる樹脂製容器を圧縮して薄形化し、多量の使用済み容器を一括廃棄処分可能にする為の装置であって、該装置は上部に容器投入口（１ｃ'）を有する装置本体（１）を設け、且つ、該装置本体内にモートル等の回転駆動手段（Ｍ）と、回転駆動伝達手段と、同数の複数歯を有し、回転駆動伝達手段に連結された主動軸（１２）歯車と従動軸（１３）歯車を一対に組み合わせ、且つ、容器（ＰＢ）の大きさや材質に合わせて軸間距離（Ｐ）を調整可能にした圧縮送り装置を設け、且つ、容器を圧縮する時は、モートル等の回転駆動手段（Ｍ）を作動させて、容器投入口（１ｃ'）から容器（ＰＢ）を、口側を下向きにして圧縮送り装置の噛み合わせ部（Ｘ）に投入し、主動軸（１２）歯車を回転させる事で、従動軸（１３）歯車が主動軸（１２）歯車に従動し、それぞれ反対方向に回転しながら交互に噛み合わせて容器を圧縮しながら排出する事を特徴とする樹脂製容器圧縮装置から構成される。
【０００９】
次に、この発明の詳細について説明すると、まず、装置本体（１）は５０ｍｍ×５０ｍｍ×ｔ４ｍｍの鋼製アングルの溶接構造で、横幅が６００ｍｍ×奥行きが５４０ｍｍ×高さが９００ｍｍの箱形状に形成されている。そして、前後左右と上部には板厚３．２ｍｍ程度の薄板鋼板のカバー（蓋）（１ａ）（１ｂ）（１ｃ）を螺着して設けている。尚、上部のカバー（１ｃ）の右手前部には、最大２リットルの容器が投入可能な大きさを有する容器投入口（１ｃ'）を設けている。尚、上記容器投入口からは、２リットル以下の容器の投入も可能である。
【００１０】
そして、装置本体内部には図１及び図２に示す様に、下段部に小径のプーリー（３）を軸支した電動モートル（Ｍ）を設け、且つ、装置本体の下段後部に大径のプーリー（４）と、小径のプーリー（３）を同軸に並設して軸支した軸部（５）と、左右にプランマブロック等の軸受箱（２）を設け、又、中段後部には大径のプーリー（４）と、小径のスプロケット（８）を同軸に並設して軸支した軸部（６）と、左右にプランマブロック等の軸受箱（２）を設け、又、中段前部に大径のスプロケット（９）と小径のスプロケット（８）を同軸に並設して軸支した軸部（６）と、左右にプランマブロック等の軸受箱（２）を設け、更に上段前部には大径のスプロケット（９）を軸支した主動軸（１２）歯車と、軸間距離（Ｐ）を所定寸法だけ離した後部に従動軸（１３）歯車を設け、且つ、下段の前後間及び下段後部と中段後部間の連結はＶベルト（７）をそれぞれ使用し、又、中段後部と中段前部及び中段前部と上段前部間の連結はチェーンを使用している。尚、回転駆動伝達手段にＶベルト（７）とチェーン（１０）を使い分けている理由はコスト低減であって、引っ張り強度の大きい上部側には高価なチェーン（１０）を使用し、引っ張り強度の少ない下部側には安価なＶベルト（７）を使用している。
【００１１】
又、上記主動軸（１２）歯車と従動軸（１３）歯車について詳細説明すると、図４（Ｂ）及び図５に示す様に、主動軸（１２）歯車側の左右軸受部には上下方向にダブルナット（Ｎ）（Ｎ）で固着して設けたロッドエンド（１１）と、従動軸（１３）歯車側の左右軸受けには前後方向にダブルナット（Ｎ）（Ｎ）で固着し、軸間距離（Ｐ）を任意に調整可能にして設けている。そして前後それぞれの軸（１２）（１３）の左右両端には軸受用円筒形ボス（１４）を固着し、更に六角ナット形ボス（１５）をＭ６ｍｍの尖り先六角穴付止めネジ（ＳＢ１）とダブルナット（Ｎ）（Ｎ）で両面をそれぞれ固着して回転を防止し、更に、左右の六角ナット形ボス（１５）（１５）の六面部に六個のＬ２５ｍｍ×２５ｍｍ×３ｍｍ×長さ２６５ｍｍの鋼製アングル（１６）とスペーサー（１５'）をＭ６ｍｍの平先六角穴付止めネジ（ＳＢ２）とダブルナット（Ｎ）（Ｎ）で両面をそれぞれ固着している。但し、上記の主動軸歯車及び従動軸歯車の歯数に関しては、六個に限定される事はない。
【００１２】
次に、本装置の最も重要な部分である主動軸（１２）歯車の回転数は、試験の結果、樹脂製ペットボトル容器の大きさや形状に関係なく、毎秒１回転程度の速さが最良である事が判明し、電動式駆動モートルの出力と回転駆動伝達手段である大小のプーリー（４）（３）とベルト（７）及び大小スプロケット（９）（８）とチェーン（１０）を組み合わせて上記の速さに減速したものであるが、駆動伝達手段に関しては、上記以外の手段を使用しても構わない。
【００１３】
次に、本装置の使用方法及び安全装置について説明すると、ペットボトル容器（ＰＢ）を予め装置の近くへ準備し、スィッチボックス（ＳＷＢ）のボタン（ＯＮ側）を押すと、モートル（Ｍ）が回転し始め、回転駆動伝達手段によって主動軸（１２）歯車が回転し、それに従動して従動軸（１３）歯車も回転し始める。そして、予め準備したペットボトル容器を一個ずつ容器の口側を下向きにして容器投入口（１ｃ'）から投入する。すると、投入したペットボトル容器は、主動軸歯車と従動軸歯車の噛み合わせにより圧縮され、薄形化されて装置本体の下部へ排出される。そして、作業が終了し停止する時は、スィッチボックス（ＳＷＢ）のボタン（ＯＦＦ側）を押すとモートル（Ｍ）が停止する。
【００１４】
又、本装置の電気機器として、電源差込用プラグ（２２）と、万が一ペットボトル容器が主動軸歯車と従動軸歯車の間に噛み込み作動不能状態に成った場合、自動的に電動モートル（Ｍ）の電源を停止させる為の過電流防止付メインブレーカー（１７）と、電気制御用のタイマー（２０）と、端子台（１９）がそれぞれ設けられている。又、この他、必要に応じてシーケンサー等の自動制御機器を設ける事で、様々な作動方式を新たに組み込む事も可能である。
【産業上の利用可能性】
【００１５】
この発明の樹脂製容器圧縮装置は、誰でも容易に樹脂製の容器を圧縮する事が出来、且つ、復元性が殆ど無い為、多数の樹脂製容器の回収が可能と成る為、多くの飲食関係市場に寄与する点で産業上の利用可能性を有する。
【図面の簡単な説明】
【００１６】
【図１】この発明の一実施例を示し、正面図である。
【図２】この発明の一実施例を示し、左側面図である。
【図３】この発明の一実施例を示し、平面図である。
【図４】この発明の一実施例を示し、（Ａ）は図１のａ−ａ矢視断面面図で、（Ｂ）は図２のａ−ａ矢視断面図である。
【図５】この発明の使用例を示し、ペットボトル投入口の断面詳細図である。
【符号の説明】
【００１７】
１  装置本体
１ａ  本体カバー（前後用）
１ｂ  本体カバー（左右用）
１ｃ  投入口付本体カバー（上用）
１ｃ'  ペットボトル投入口
２  プランマブロック等の軸受箱
３  Ｖプーリー（小）
４  Ｖプーリー（大）
５  軸
６  軸
７  Ｖベルト
８  スプロケット（小）
９  スプロケット（大）
１０  チェーン
１１  ロッドエンド
１２  軸（主動軸側）
１３  軸（従動軸側）
１４  軸受用円筒形ボス
１５  軸受用六角ナット形ボス
１５'   スペーサー
１６  回転刃
１７  メインブレーカー（過電流防止付）
１８  メインブレーカー取付板
１９  端子台
２０  タイマー
２１  タイマー取付板
２２  電気差込用プラグ
Ｂ  ボルト
Ｎ  ナット
Ｍ  モートル等の回転駆動手段
Ｐ  軸間寸法
ＰＢ  容器（ペットボトル）
ＳＢ１  六角穴付止めネジ（尖り先）
ＳＢ２  六角穴付止めネジ（平先）
ＳＷＢ  スィッチボックス
Ｗ  ワッシャー
Ｘ  噛み合わせ部
【図１】
2009113049.tif 000003
【図２】
2009113049.tif 000004
【図３】
2009113049.tif 000005
【図４】
2009113049.tif 000006
【図５】
2009113049.tif 000007